(57)【要約】 【課題】      一方方向にのみ伸縮性がほとんどなくその他の方向には伸縮性があり、縫合等の加工工程を行わずに立体的な凹凸がある構造を特徴とする布地を提案するとともに、あわせてその布地の製造方法を提供する。【解決手段】      オーバーロックミシンに空縫い動作をさせてできたオーバーロック縫い目構造にオーバーロック縫い（縁かがり縫い）を施してそれぞれのオーバーロック縫い目構造を絡ませ、さらにオーバーロック縫い（縁かがり縫い）を施し続け、オーバーロックミシンの差動送りの調節をして立体的な凹凸のある布地構造を形成する。【選択図】  図２
2007135872.tif 000002
【特許請求の範囲】
【請求項１】
オーバーロックミシンに空縫い動作をさせて形成したオーバーロック縫い目構造にオーバーロック縫い（縁かがり縫い）を施して製造した布地であり、オーバーロック縫い（縁かがり縫い）を施した一方方向にのみ伸縮性がほとんどなく、その他の方向には伸縮性がある構造を特徴とする布地。
【請求項２】
請求項１の布地において、オーバーロック縫い（縁かがり縫い）を施すときにオーバーロックミシンの差動送りの調節をすることによって立体的な凹凸が形成されることを特徴とする布地。
【請求項３】
請求項１または２記載の布地の製造方法。
【発明の詳細な説明】
【技術分野】
【０００１】
本発明は、衣料品用等の布地及びその製造方法に関する。
【背景技術】
【０００２】
一般に、衣料品用等に多く使用される布地は織物と編物であり、繊維等から製造した糸を原料にして織製や編製を行って製造されている。それぞれの性質として、織物はたて糸とよこ糸を一定の規則に従って上下に交わらせて作ったものであるため、布目方向に対しては伸縮性がほとんどなく、それ以外の方向に対しては若干の伸縮性がある。それに対して編物は１本または１本以上の糸がループを作り、そのループに引っかけて次の新しいループを作ることを継続し、順次ループを平面状に連続して形成したものであるため、３６０°どの方向に対しても伸縮性がある。また、上記のような衣料品用等に使用される布地はそのままの状態では平面であり、縫合等の加工工程を行うことによって立体的な凹凸を形成し、衣料品等の布製品が製造されている。これらのことについては、非特許文献１に開示されている。
【０００３】
さらに、上記のような布地にはオーバーロック縫い（縁かがり縫い）が布端（裁ち目）の始末に、解れ防止として施されることがある。このオーバーロック縫い（縁かがり縫い）は、１本針３本糸のオーバーロックミシンの場合、針糸１、上ルーパー糸２、下ルーパー糸３でオーバーロック縫い目構造を形成する（図１参照）。オーバーロックミシンは、本縫いミシン等と違って返し縫いができず、またその必要がないため、空縫い動作をさせて糸足を残して糸を切る。つまり、オーバーロック縫い（縁かがり縫い）を施す対象がなくても、空縫い動作をさせ続ければオーバーロック縫い目構造を形成し続けるのである。これらのことについては特許文献１に開示されている。
【０００４】
編物等の伸縮性のある布地の布端にオーバーロック縫い（縁かがり縫い）を解れ防止として施すと、布端が伸ばされて波打ったり縮みすぎたりすることがある。その場合は、オーバーロックミシンの差動レバーを上下に動かして縫いテストをし、一番よい位置に差動レバーを調節する。差動レバーを下げると送り量が大きくなって布端が縮み方向になり、レバーを上げると送り量が小さくなって伸ばし方向になる。つまり、伸縮性のない布地の布端に差動送りの調節をしてオーバーロック縫い（縁かがり縫い）を施せば、布端を縮ませたり、伸ばして波打たせたりすることができるのである。これらのことについては非特許文献２に開示されている。
【特許文献１】特開平５−１５６５３９公報
【非特許文献１】弓削  治編著、「被服材料・整理学」朝倉書店、      １９８０年４月２０日発行、Ｐ３８〜４９
【非特許文献２】熊崎  高道編、「アパレルソーイング用語集」チャネラー、                      ２００２年９月９日発行、Ｐ１３８〜１３９
【発明の開示】
【発明が解決しようとする課題】
【０００５】
従来のような衣料品用等の布地に立体的な凹凸を形成するためには、縫合等の加工工程を行わなければならなかった。また、従来のような衣料品用等の布地で、一方方向にのみ伸縮性がなくそれ以外の方向に伸縮性があるものはなかった。本発明は、これらの課題を解消するためになされたものである。
【課題を解決するための手段】
【０００６】
この課題を解決するための請求項１の発明は、１本針３本糸のオーバーロックミシンに空縫い動作をさせてできた針糸１と上ルーパー糸２と下ルーパー糸３から形成されたオーバーロック縫い目構造（図１参照）にオーバーロック縫い（縁かがり縫い）を施してそれぞれのオーバーロック縫い目構造を絡ませる（図２参照）。この状態にさらにオーバーロック縫い（縁かがり縫い）を施し続けて布地を製造する。
【０００７】
上ルーパー糸２は針糸１と下ルーパー糸３に引っかけてループを形成し、下ルーパー糸３は針糸１と上ルーパー糸２に引っかけてループを形成しているのに対し、針糸１は上ルーパー糸２と下ルーパー糸３と交わるように上下に行き来しておりループは形成していない。つまり、上ルーパー糸２と下ルーパー糸３は編物と同様の構造を形成し、針糸１は織物のたて糸あるいはよこ糸と同様の構造を形成しているのである。そのため、上ルーパー糸２と下ルーパー糸３は編物と同様の性質を有するので３６０°どの方向に対しても伸縮性があり、針糸１は織物のたて糸あるいはよこ糸と同様の性質を有するので伸縮性がほとんどない。よってオーバーロック縫い目構造（図１参照）にはオーバーロック縫い（縁かがり縫い）を施した一方方向にのみ伸縮性がほとんどなく、その他の方向には伸縮性がある。この構造にさらにオーバーロック縫い（縁かがり縫い）を施し続けて製造した布地であるため、オーバーロック縫い（縁かがり縫い）を施した一方方向にのみ伸縮性がほとんどなく、その他の方向には伸縮性がある。
【０００８】
また、請求項２の発明は請求項１の布地において、オーバーロック縫い（縁かがり縫い）を施すときにオーバーロックミシンの差動送りの調節をすることによって立体的な凹凸を形成する。凹型の布地を形成する場合は、オーバーロックミシンの差動レバーを下げて送り量が大きくなった状態でオーバーロック縫い（縁かがり縫い）を施して布端を縮ませる。縮んだ布端にさらにオーバーロック縫い（縁かがり縫い）を施し続けると、さらに布端を縮ませることができる。これを繰り返し続けることによって徐々に凹型の布地が形成される。
【０００９】
凸型の布地を形成する場合は、オーバーロックミシンの差動レバーを上げて送り量が小さくなった状態でオーバーロック縫い（縁かがり縫い）を施して布端を伸ばす。伸びた布端にさらにオーバーロック縫い（縁かがり縫い）を施し続けると、さらに布端を伸ばすことができる。これを繰り返し続けることによって徐々に凸型の布地が形成される。凹型の布地を形成するときの操作と凸型の布地を形成するときの操作を組み合わせることによって、布地に立体的な凹凸を形成する。
【発明の効果】
【００１０】
オーバーロック縫い（縁かがり縫い）を施した方向にのみ伸縮性がないので、衣料品として使用する場合はオーバーロック縫い（縁かがり縫い）を施した方向がたて方向になるようにすれば、着用時には形状が安定している上に着用者が動きやすい衣料品を製造することができる。
【００１１】
立体的な凹凸のある布地なので、衣料品などの立体的な布製品を製造する場合、縫合等の加工工程を行う必要がない。
【発明を実施するための最良の形態】
【００１２】
１本針３本糸のオーバーロックミシンに空縫い動作をさせてできた針糸１と上ルーパー糸２と下ルーパー糸３から形成されたオーバーロック縫い目構造（図１参照）にオーバーロック縫い（縁かがり縫い）を施してそれぞれのオーバーロック縫い目構造を絡ませる（図２参照）。この状態にさらにオーバーロック縫い（縁かがり縫い）を施し続け、差動送りの調節をして立体的な凹凸のある布地構造を形成する。
【００１３】
オーバーロックミシンに空縫い動作をさせて形成したオーバーロック縫い目構造（図１参照）にオーバーロック縫い（縁かがり縫い）を施すときに、針糸１と上ルーパー糸２と下ルーパー糸３を切らずに、空縫い動作をさせ始めた糸端からオーバーロック縫い（縁かがり縫い）を施し続ければ、筒型の布地構造を形成することができる。また、差動送りの調節をしてオーバーロック縫い（縁かがり縫い）を施せば立体的な凹凸のある筒型の布地構造を形成することができる。
【産業上の利用可能性】
【００１４】
本発明に係る布地は、オーバーロックミシンによって製造されるものである
ため、産業上の利用可能性を有する。    
【図面の簡単な説明】
【００１５】
【図１】本発明に係る布地のもととなる、１本針３本糸のオーバーロックミシンに空縫い動作をさせてできたオーバーロック縫い目構造の図である。
【図２】図１のオーバーロック縫い目構造にオーバーロック縫い（縁かがり縫い）を施してそれぞれのオーバーロック縫い目構造が絡まった状態の図である。
【符号の説明】
【００１６】
１  針糸
２  上ルーパー糸
３  下ルーパー糸
【図１】
2007135872.tif 000003
【図２】
2007135872.tif 000004
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
オーバーロックミシンに空縫い動作をさせて形成したオーバーロック縫い目構造にオーバーロック縫い（縁かがり縫い）を施して製造した布地であり、オーバーロック縫い（縁かがり縫い）を施した一方方向にのみ伸縮性がほとんどなく、その他の方向には伸縮性がある構造を特徴とする布地。
【請求項２】
請求項１の布地において、オーバーロック縫い（縁かがり縫い）を施すときにオーバーロックミシンの差動送りの調節をすることによって立体的な凹凸が形成されることを特徴とする布地。
【手続補正３】
【補正対象書類名】明細書
【補正対象項目名】０００１
【補正方法】変更
【補正の内容】
【０００１】
本発明は、衣料品用等の布地に関する。